(57)【要約】【課題】寄生容量の充電時／放電時の消費電流を低減し、ソースラインを所定のレベルまで充電／放電させる時間を短縮させることができ、ノイズ対策を施すことができる液晶表示装置の駆動回路及びその駆動方法を提供する。【解決手段】ＬＣＤパネル１と、ゲートラインＧ1〜Ｇnを駆動するゲートドライバＧＤ1〜ＧＤnからなるゲートドライバ部１０と、ソースドライバＳＤ1〜ＳＤmの出力をソースラインＳ1〜Ｓmから切り離し隣接するソースライン同士をショートさせるスイッチＳＷＣ1〜ＳＷＣm及びＳＷＤ1〜ＳＷＤm-1を有するソースドライバ部３０を備え、ソースドライバ部３０は、隣り合うソースラインＳ1〜Ｓmが共通電極の電位を基準として極性が逆になるようにソースラインＳ1〜Ｓmを駆動する駆動方式の場合、液晶容量への書き込みの初期時にソースドライバＳＤ1〜ＳＤmの出力をソースラインＳ1〜Ｓmから切り離し、隣接するソースラインＳ1〜Ｓm同士をショートする。【選択図】        図４
2005222072.tif 000002
【特許請求の範囲】
【請求項１】
複数のゲートラインと複数のソースラインの各交点にスイッチング素子と液晶容量とを有する液晶表示部を駆動する液晶表示装置の駆動回路において、
前記ゲートラインを駆動するゲートライン駆動部と、
隣り合うソースラインが共通電極の電位を基準として極性が逆になるように前記ソースラインを駆動するソースライン駆動部と、
前記液晶容量への書き込みの初期時に前記ソースライン駆動部出力を前記ソースラインから切り離し、隣接する前記ソースライン同士をショートする手段と
を備えたことを特徴とする液晶表示装置の駆動回路。
【請求項２】
複数のゲートラインと複数のソースラインの各交点にスイッチング素子と液晶容量とを有する液晶表示部を駆動する液晶表示装置の駆動回路において、
前記ゲートラインを駆動するゲートライン駆動部と、
隣り合うソースラインが共通電極の電位を基準として極性が逆になるように前記ソースラインを駆動するソースライン駆動部と、
前記液晶容量への書き込みの初期時に前記ソースライン駆動部出力を前記ソースラインから切り離し、１つおきに隣接する前記ソースライン同士をショートする手段と
を備えたことを特徴とする液晶表示装置の駆動回路。
【請求項３】
請求項１又は２の何れかに記載の液晶表示装置の駆動回路において、
前記ソースライン同士をショートする時に抵抗を介して行うようにしたことを特徴とする液晶表示装置の駆動回路。
【請求項４】
さらに、前記ゲートライン駆動部は、
前記液晶容量への書き込みレベル出力を、所定のゲートライン毎に共通電極に対して反転して行うことを特徴とする請求項１、２又は３の何れかに記載の液晶表示装置の駆動回路。
【請求項５】
複数のゲートラインと複数のソースラインの各交点にスイッチング素子と液晶容量とを有する液晶表示部を駆動する液晶表示装置の駆動回路において、
前記ゲートラインを駆動するゲートライン駆動部と、
前記ソースラインを駆動するソースライン駆動部と、
前記ゲートライン駆動部出力がオンまたはオフするトランジェント時に、前記ゲートライン駆動部出力を前記ゲートラインから切り離し、該ゲートラインを所定電位にするとともに、前記トランジェント時間終了後、前記ゲートライン駆動部出力を前記ゲートラインに接続して、該ゲートラインの駆動を行う手段と
を備えたことを特徴とする液晶表示装置の駆動回路。
【請求項６】
複数のゲートラインと複数のソースラインの各交点にスイッチング素子と液晶容量とを有する液晶表示部を駆動する液晶表示装置の駆動回路において、
前記ゲートラインを駆動するゲートライン駆動部と、
前記ソースラインを駆動するソースライン駆動部と、
前記ゲートライン駆動部出力がオンまたはオフするトランジェント時に、前記ゲートライン駆動部出力を前記ゲートラインから切り離し、前記ゲートライン駆動部出力がオン動作しているゲートラインと次にオン動作するゲートライン駆動部に接続されるゲートラインをショートするとともに、前記トランジェント時間終了後、前記ゲートライン駆動部出力を前記ゲートラインに接続して、該ゲートラインの駆動を行う手段と
を備えたことを特徴とする液晶表示装置の駆動回路。
【請求項７】
請求項５記載の液晶表示装置の駆動回路において、
前記所定電位は、前記ゲートライン駆動部出力電圧振幅の１／２電位であることを特徴とする液晶表示装置の駆動回路。
【請求項８】
請求項５記載の液晶表示装置の駆動回路において、
前記所定電位は、共通電極の電位であることを特徴とする液晶表示装置の駆動回路。
【請求項９】
請求項５、６、７又は８の何れかに記載の液晶表示装置の駆動回路において、
前記ゲートラインのショートは抵抗を介して行うようにしたことを特徴とする液晶表示装置の駆動回路。
【請求項１０】
前記スイッチング素子は、ＴＦＴ（thin film transistor）素子からなり、
該ＴＦＴ素子をマトリクス駆動して液晶容量をスイッチングすることを特徴とする請求項１、２、５又は６の何れかに記載の液晶表示装置の駆動回路。
【請求項１１】
複数のゲートラインと複数のソースラインの各交点に配置されたスイッチング素子と液晶容量とを有する液晶表示部の該ゲートラインをゲートライン駆動部により順次駆動するとともに、該ソースラインをソースライン駆動部により駆動する液晶表示装置の駆動方法において、
まず、前記液晶容量への書き込みの初期時に、前記ソースライン駆動部出力をソースラインから切り離して、隣接する前記ソースライン同士でショートさせ、
該ショート終了後、前記ソースライン駆動部出力をソースラインに接続して液晶容量への書き込みを行うことを特徴とする液晶表示装置の駆動方法。
【請求項１２】
請求項１１記載の液晶表示装置の駆動方法において、
前記ソースラインのショートは、抵抗を介して行うようにしたことを特徴とする液晶表示装置の駆動方法。
【請求項１３】
複数のゲートラインと複数のソースラインの各交点に配置されたスイッチング素子と液晶容量とを有する液晶表示部の該ゲートラインをゲートライン駆動部により順次駆動するとともに、該ソースラインをソースライン駆動部により駆動する液晶表示装置の駆動方法において、
前記ゲートライン駆動部出力がオンまたはオフするトランジェント時に、前記ゲートライン駆動部出力を前記ゲートラインから切り離して、該ゲートラインを所定電位にさせ、
前記トランジェント時間終了後、前記ゲートライン駆動部出力を前記ゲートラインに接続して、該ゲートラインの駆動を行うことを特徴とする液晶表示装置の駆動方法。
【請求項１４】
複数のゲートラインと複数のソースラインの各交点に配置されたスイッチング素子と液晶容量とを有する液晶表示部の該ゲートラインをゲートライン駆動部により順次駆動するとともに、該ソースラインをソースライン駆動部により駆動する液晶表示装置の駆動方法において、
前記ゲートライン駆動部出力がオンまたはオフするトランジェント時に、前記ゲートライン駆動部出力を前記ゲートラインから切り離して、前記ゲートライン駆動部出力がオン動作しているゲートラインと次にオン動作するゲートライン駆動部に接続されるゲートラインをショートさせ、
前記トランジェント時間終了後、前記ゲートライン駆動部出力を前記ゲートラインに接続して、該ゲートラインの駆動を行うことを特徴とする液晶表示装置の駆動方法。
【請求項１５】
請求項１３記載の液晶表示装置の駆動方法において、
前記所定電位は、前記ゲートライン駆動部出力電圧振幅の１／２電位であることを特徴とする液晶表示装置の駆動方法。
【請求項１６】
請求項１３記載の液晶表示装置の駆動方法において、
前記所定電位は、
共通電極の電位であることを特徴とする液晶表示装置の駆動方法。
【請求項１７】
請求項１３、１４、１５又は１６の何れかに記載の液晶表示装置の駆動方法において、
前記ゲートラインのショートは抵抗を介して行うようにしたことを特徴とする液晶表示装置の駆動方法。
【発明の詳細な説明】
【技術分野】
【０００１】
本発明は、アクティブマトリックスパネルを用いた液晶表示装置の駆動回路及びその駆動方法に係り、詳細には、ＴＦＴ（thin film transistor）型液晶パネル駆動方式において消費電流を低減させ、かつ多階調出力を行うソースドライバ出力の目標値までの収束時間を短くする液晶表示装置の駆動回路及びその駆動方法に関する。
【背景技術】
【０００２】
アクティブマトリクス型表示（active matrix display）方式では、各画素に非線形能動素子を配置することによって余分な信号の干渉を排除し、高画質を実現することができる。
【０００３】
従来のアクティブマトリクス表示方式では、片方の電極基板の内向面にマトリクス電極と、複数の液晶容量（画素容量）と、この液晶容量毎にスイッチング素子として、例えばＴＦＴ素子を配置して、スイッチング素子をマトリクス駆動し、スイッチング素子を介してそれぞれの液晶容量をスイッチする。
【０００４】
図１８は従来のＴＦＴ型液晶パネルのドット反転方式の駆動回路の構成を示す図である。
【０００５】
図１８において、１は液晶パネル（以下、ＬＣＤパネルという）であり、ＬＣＤパネル１はスイッチトランジスタＴＲ11〜ＴＲnm、液晶電極ＣＸ11〜ＣＸnm、及び電圧レベルＶcomを印加する共通電極（図示せず）により各々液晶画素が構成され、その画素をマトリクス状に配して構成される。
【０００６】
ＬＣＤパネル１を駆動する駆動回路は、ゲートラインＧ1〜Ｇnを駆動するゲートドライバＧＤ1〜ＧＤnと、ソースラインＳ1〜Ｓm及び各ソースラインＳ1〜Ｓmに寄生する寄生容量ＣＣ1〜ＣＣm（以下、特に寄生容量ＣＣ1〜ＣＣmにはふれない場合もあるが、ソースラインと記述した場合は寄生容量が寄生しているものとする）を駆動するソースドライバＳＤ1〜ＳＤmとから構成される。
【０００７】
また、図１９は図１８と同様のＴＦＴ型液晶パネルの図であり、各ゲートラインＧ1〜Ｇnに寄生する寄生容量ＣＣ1〜ＣＣnを示したものである。
【０００８】
図１８及び図１９の駆動回路は一例として、図２０に示すゲートドライバ駆動波形及び図２１に示すソースドライバ駆動波形で駆動される。
【０００９】
ＴＦＴ型液晶の所定ドットの明るさ（色）は液晶容量に充電された電位レベルにより決定されるためソースドライバＳＤ1〜ＳＤmは映像信号に応じた出力電圧を出力する動作をする。ゲートドライバＧＤ1〜ＧＤnは順次位相のずれたゲート駆動パルス信号をゲートラインＧ1〜Ｇnに出力しスイッチトランジスタＴＲ11〜ＴＲnmをオン／オフさせるためのレベルを出力する動作をする。
【００１０】
図１８〜図２１を参照して動作を簡単に説明する。
【００１１】
図２０において、ソースドライバＳＤ1〜ＳＤmは６４階調レベルが出力できるものとし（以下、特に指定のない場合、ソースドライバは６４階調の例について述べる）任意のソースドライバＳＤk-1（ｋは１〜ｍのうちの任意の数）はＶcomより高い所定の６４個のアナログレベルのうち選択された１つの（Ｖcomより高い）レベルを出力し、ソースラインＳk-1を所定のレベルに充電する。
【００１２】
同時に、ＳＤk-1の隣のソースドライバＳＤkは、Ｖcomより低い所定の６４個のアナログレベルのうち選択された１つの（Ｖcomより低い）レベルを出力し、ソースラインＳkを所定のレベルに充電する。このように隣り合うソースラインがＶcomレベルを基準として極性が逆になるようにソースドライバＳＤ1〜ＳＤmがソースラインＳ1〜Ｓmを充電する。この時、同時にゲートドライバＧＤ1によってゲートラインＧ1がＨレベルになる。
【００１３】
この動作によってスイッチトランジスタＴＲ11〜ＴＲ1mがオン状態になり、ソースドライバＳＤ1〜ＳＤmの出力レベルがソースラインＳ1〜Ｓmを介してそれぞれ液晶容量ＣＸ11〜ＣΧ1mに充電される。次にゲートドライバＧＤ1によってゲートラインＧ1がＬレベルになり、ゲートドライバＧＤ2によってゲートラインＧ2がΗレベルになると同時に各ソースラインＳ1〜Ｓmに液晶容量ＣΧ21〜ＣΧ2mに充電するレベルをソースドライバＳＤ1〜ＳＤmにより駆動する。
【００１４】
この時、図２１に示すようにソースラインに設定されるレベルはＧ1がΗレベルの時とはＶcomレベルに対して逆の極性になるようになっている。
【００１５】
例えば、ソースラインＳ1では、ゲートラインＧ1がＨレベルの時はＶcomより高いレベルを液晶容量に充電していたがＧ1がＬレベルになりＧ2がＨレベルになったときは、Ｖcomより低いレベルを充電する動作となる。
【００１６】
この動作を繰り返してゲートラインＧi（ｉは１〜ｎのうち任意の数）をＨレベルにして全液晶容量ＣＸ11〜ＣＸnmに対して所定の電位レベルを書き込む。また、次のフレームでは液晶容量に対してＶcomに対して極性が逆のレベルを書き込むことによって、交流駆動をしている。
【発明の開示】
【発明が解決しようとする課題】
【００１７】
しかしながらこのような従来の液晶表示装置にあっては、以下のような問題点があった。
【００１８】
すなわち、上記の動作ではゲートラインＧ1がΗレベルの時、ソースラインＳ1を介して液晶容量ＣＸ11にＶcomより高いレベルを充電したとすると、Ｇ1がＬレベルになりＧ2がＨレベルになったとき液晶容量ＣＸ11にはソースラインＳ1を介してＶcomより低いレベルを充電する動作となる。通常ソースラインＳ1の寄生容量ＣＣ1は１５０ｐＦ程度であり、液晶容量ＣＸ11は８ｐＦ程度であるためソースドライバＳＤ1はＶcomより高いレベルで充電されたソースラインＳ1の寄生容量ＣＣ1をＶcomより低いレベルに放電する必要がある。
【００１９】
したがって、上記寄生容量の充電時／放電時の消費電流が多く、ソースラインを所定のレベルまで充電／放電させる時間がかかり、さらには寄生容量の充電／放電時の消費電流のためノイズが発生することがあるという問題点があった。
【００２０】
また、図１９に示すようにそれぞれのゲートラインＧ1〜Ｇnには寄生容量ＣＣ1〜ＣＣnがあるため、ゲートドライバＧＤ1〜ＧＤnはこの寄生容量ＣＣ1〜ＣＣnを充放電できるように設計する必要がある。このことは、ゲートドライバの大型化につながる。さらに上記寄生容量への充放電に伴い、消費電流若しくは消費電力の増加を招いていた。
【００２１】
また、ゲートラインを所定のレベルまで充電／放電させる時間がかかり、さらには寄生容量の充電／放電時の消費電流のためノイズが発生することがあるという問題点があった。
【００２２】
本発明は、寄生容量の充電時／放電時の消費電流を低減することができ、ソースラインを所定のレベルまで充電／放電させる時間を短縮させることができる液晶表示装置の駆動回路及びその駆動方法を提供することを目的とする。
【００２３】
また、本発明は、寄生容量の充電／放電を制御することによってノイズ対策を施すことができる液晶表示装置の駆動回路及びその駆動方法を提供することを目的とする。また、本発明は、ゲートラインの寄生容量への充電／放電時に消費される電流若しくは電力を低減し、ノイズの少ない高画質表示を可能とする液晶表示装置の駆動方法を提供することを目的とする。
【課題を解決するための手段】
【００２４】
本発明に係る液晶表示装置の駆動回路は、複数のゲートラインと複数のソースラインの各交点にスイッチング素子と液晶容量とを有する液晶表示部を駆動する液晶表示装置の駆動回路において、ゲートラインを駆動するゲートライン駆動部と、隣り合うソースラインが共通電極の電位を基準として極性が逆になるようにソースラインを駆動するソースライン駆動部と、液晶容量への書き込みの初期時にソースライン駆動部出力をソースラインから切り離し、隣接するソースライン同士をショートする手段とを備えている。
【００２５】
本発明に係る液晶表示装置の駆動回路は、複数のゲートラインと複数のソースラインの各交点にスイッチング素子と液晶容量とを有する液晶表示部を駆動する液晶表示装置の駆動回路において、ゲートラインを駆動するゲートライン駆動部と、隣り合うソースラインが共通電極の電位を基準として極性が逆になるようにソースラインを駆動するソースライン駆動部と、液晶容量への書き込みの初期時にソースライン駆動部出力をソースラインから切り離し、１つおきに隣接するソースライン同士をショートする手段とを備えている。
【００２６】
また、本発明に係る液晶表示装置の駆動回路は、複数のゲートラインと複数のソースラインの各交点にスイッチング素子と液晶容量とを有する液晶表示部を駆動する液晶表示装置の駆動回路において、ゲートラインを駆動するゲートライン駆動部と、ソースラインを駆動するソースライン駆動部と、ゲートライン駆動部出力がオンまたはオフするトランジェント時に、ゲートライン駆動部出力をゲートラインから切り離し、該ゲートラインを所定電位にするとともに、トランジェント時間終了後、ゲートライン駆動部出力をゲートラインに接続して、該ゲートラインの駆動を行う手段とを備えている。
【００２７】
また、本発明に係る液晶表示装置の駆動回路は、複数のゲートラインと複数のソースラインの各交点にスイッチング素子と液晶容量とを有する液晶表示部を駆動する液晶表示装置の駆動回路において、ゲートラインを駆動するゲートライン駆動部と、ソースラインを駆動するソースライン駆動部と、ゲートライン駆動部出力がオンまたはオフするトランジェント時に、ゲートライン駆動部出力をゲートラインから切り離し、ゲートライン駆動部出力がオン動作しているゲートラインと次にオン動作するゲートライン駆動部に接続されるゲートラインをショートするとともに、トランジェント時間終了後、ゲートライン駆動部出力をゲートラインに接続して、該ゲートラインの駆動を行う手段とを備えている。
【００２８】
本発明に係る液晶表示装置の駆動方法は、複数のゲートラインと複数のソースラインの各交点に配置されたスイッチング素子と液晶容量とを有する液晶表示部の該ゲートラインをゲートライン駆動部により順次駆動するとともに、該ソースラインをソースライン駆動部により駆動する液晶表示装置の駆動方法において、まず、液晶容量への書き込みの初期時に、ソースライン駆動部出力をソースラインから切り離して、隣接するソースライン同士でショートさせ、該ショート終了後、ソースライン駆動部出力をソースラインに接続して液晶容量への書き込みを行うことを特徴とする。
【００２９】
本発明に係る液晶表示装置の駆動方法は、複数のゲートラインと複数のソースラインの各交点に配置されたスイッチング素子と液晶容量とを有する液晶表示部の該ゲートラインをゲートライン駆動部により順次駆動するとともに、該ソースラインをソースライン駆動部により駆動する液晶表示装置の駆動方法において、ゲートライン駆動部出力がオンまたはオフするトランジェント時に、ゲートライン駆動部出力をゲートラインから切り離して、該ゲートラインを所定電位にさせ、トランジェント時間終了後、ゲートライン駆動部出力をゲートラインに接続して、該ゲートラインの駆動を行うことを特徴とする。
【００３０】
本発明に係る液晶表示装置の駆動方法は、複数のゲートラインと複数のソースラインの各交点に配置されたスイッチング素子と液晶容量とを有する液晶表示部の該ゲートラインをゲートライン駆動部により順次駆動するとともに、該ソースラインをソースライン駆動部により駆動する液晶表示装置の駆動方法において、ゲートライン駆動部出力がオンまたはオフするトランジェント時に、ゲートライン駆動部出力をゲートラインから切り離して、ゲートライン駆動部出力がオン動作しているゲートラインと次にオン動作するゲートライン駆動部に接続されるゲートラインをショートさせ、トランジェント時間終了後、ゲートライン駆動部出力をゲートラインに接続して、該ゲートラインの駆動を行うことを特徴とする。
【発明の効果】
【００３１】
本発明に係る液晶表示装置の駆動回路及びその駆動方法では、ソースライン駆動部は、隣り合うソースラインが共通電極の電位を基準として極性が逆になるようにソースラインを駆動し、液晶容量への書き込みの初期時にソースライン駆動部出力をソースラインから切り離し、隣接するソースライン同士をショートするようにしているので、所定電位をソースライン駆動部に供給することなく、寄生容量の充電時／放電時の消費電流を低減することができ、ソースラインを所定のレベルまで充電／放電させる時間を短縮させることができる。また、駆動能力のより小さなソースライン駆動部が使用可能になるので、ソースライン駆動部の小型化・低コスト化を図ることができる。
【００３２】
本発明に係る液晶表示装置の駆動回路では、ソースライン駆動部は、隣り合うソースラインが共通電極の電位を基準として極性が逆になるようにソースラインを駆動し、液晶容量への書き込みの初期時にソースライン駆動部出力をソースラインから切り離し、１つおきに隣接するソースライン同士をショートするようにしているので、所定電位をソースライン駆動部に供給することなく、かつスイッチを削減しつつ、寄生容量の充電時／放電時の消費電流を低減することができ、ソースラインを所定のレベルまで充電／放電させる時間を短縮させることができる。
【００３３】
本発明に係る液晶表示装置の駆動回路及びその駆動方法では、ゲートライン駆動部出力がオンまたはオフするトランジェント時に、ゲートライン駆動部出力をゲートラインから切り離し、該ゲートラインを所定電位（例えば、共通電極の電位、あるいは、ゲートライン駆動部出力電圧振幅の１／２電位）にショートするとともに、トランジェント時間終了後、ゲートライン駆動部出力をゲートラインに接続して、該ゲートラインの駆動を行うようにしているので、各ゲートラインに蓄積された電荷（特に、寄生容量ＣＣ1〜ＣＣnの電荷）の充電時／放電時の消費電流を削減することができ、ゲートラインを所定のレベルまで充電／放電させる時間を短縮させることができる。また、駆動能力のより小さなゲートライン駆動部が使用可能になるので、ゲートライン駆動部の小型化・低コスト化を図ることができる。
【００３４】
本発明に係る液晶表示装置の駆動回路及びその駆動方法では、ゲートライン駆動部出力がオンまたはオフするトランジェント時に、ゲートライン駆動部出力をゲートラインから切り離し、ゲートライン駆動部出力がオン動作しているゲートラインと次にオン動作するゲートライン駆動部に接続されるゲートラインをショートするとともに、トランジェント時間終了後、ゲートライン駆動部出力をゲートラインに接続して、該ゲートラインの駆動を行うようにしたので、各ゲートラインに蓄積された電荷（特に、寄生容量ＣＣ1〜ＣＣnの電荷）の充電時／放電時の消費電流を低減することができ、ゲートラインを所定のレベルまで充電／放電させる時間を短縮させることができ、さらにはゲートライン駆動部の小型化・低コスト化を図ることができる。
【発明を実施するための最良の形態】
【００３５】
本発明に係る液晶表示装置の駆動回路及びその駆動方法は、液晶テレビ等に用いられる液晶表示装置に適用することができる。
【００３６】
第１の実施形態
図１は本発明の第１の実施形態に係る液晶表示装置の構成を示すブロック図である。なお、本実施形態に係る液晶表示装置の駆動回路及びその駆動方法の説明にあたり、図１８と同一構成部分には同一符号を付している。
【００３７】
図１において、１はＬＣＤパネルであり、ＬＣＤパネル１はそのゲートラインＧ1〜Ｇnを駆動するゲートドライバ（ＧＤ1〜ＧＤn）部１０と、ソースラインＳ1〜Ｓm及び各ソースラインＳ1〜Ｓmに寄生する寄生容量ＣＣ1〜ＣＣmを駆動するソースドライバ部２０とから構成される。
【００３８】
ＬＣＤパネル１はスイッチトランジスタＴＲ11〜ＴＲnm、液晶電極ＣＸ11〜ＣＸnm、及び電圧レベルＶcomを印加する共通電極（図示せず）により各々液晶画素が構成され、その画素をマトリクス状に配して構成される。
【００３９】
ソースドライバ部２０は、ソースラインＳ1〜Ｓm及び各ソースラインＳ1〜Ｓmに寄生する寄生容量ＣＣ1〜ＣＣmを駆動するソースドライバＳＤ1〜ＳＤmと、ソースドライバＳＤ1〜ＳＤmの出力をソースラインＳ1〜Ｓmから切り離し共通電極の電位ＶcomにショートさせるスイッチＳＷＡ1〜ＳＷＡm及びＳＷＢ1〜ＳＷＢmとから構成されている。これらのスイッチは、例えばＦＥＴ等のトランジスタにより容易にドライバ内部に作り込むことが可能である。
【００４０】
このように、ＬＣＤパネル１と、ゲートラインＧ1〜Ｇnを駆動するゲートドライバＧＤ1〜ＧＤnからなるゲートドライバ部１０と、ソースドライバＳＤ1〜ＳＤmの出力をソースラインＳ1〜Ｓmと接続可能としたスイッチＳＷＡ1〜ＳＷＡm及びＳＷＢ1〜ＳＷＢmを介して共通電極の電位ＶcomとソースラインＳ1〜Ｓmを接続可能としたソースドライバ部２０から構成し、ソースドライバ部２０において、所定のタイミングにてソースラインＳ1〜ＳmとＶcomレベルをショートさせることにより、消費電流を低減し、かつソースラインＳ1〜Ｓmを所定のレベルまで充電／放電させる時間を短縮している。
【００４１】
以下、上述のように構成された液晶表示装置の動作を説明する。
【００４２】
図２はゲートドライバ部の駆動波形を示す波形図、図３はソースドライバ部のソースドライバＳＤ1〜ＳＤmの駆動波形を示す波形図であり、図２は前記図２０と同一である。
【００４３】
本液晶表示装置の駆動回路は、図２に示すゲートドライバ駆動波形及び図３に示すソースドライバ駆動波形で駆動される。本実施形態では、６４階調表示を行う場合を例にして述べる。
【００４４】
まず、図２において、ソースドライバを一例として６４階調レベルが出力できるものとすると任意のソースドライバＳＤk-1は共通電極の電位Ｖcomより高い所定の６４個のアナログレベルのうち選択された１つの（Ｖcomより高い）レベルを出力しソースラインＳk-1を所定のレベルに充電する。同時に、ＳＤk-1の隣のソースドライバＳＤkはＶcomより低い所定の６４個のアナログレベルのうち選択された１つの（Ｖcomより低い）レベルを出力しソースラインＳkを所定のレベルに充電する。つまり、この状態においては、スイッチＳＷＡ1〜ＳＷＡmはオン状態であり、スイッチＳＷＢ1〜ＳＷＢmはオフ状態である。
【００４５】
このように隣り合うソースラインがＶcomレベルを基準として極性が逆になるようにソースドライバＳＤ1〜ＳＤmはソースラインＳ1〜Ｓmを充電する。この時、同時にゲートドライバＧＤ1によってゲートラインＧ1がＨレベルになる。この動作によってＴＲ11〜ＴＲ1mのトランジスタがオン状態になり、ソースドライバＳＤ1〜ＳＤmの出力レベルがソースラインＳ1〜Ｓmを介してそれぞれ液晶容量ＣΧ11〜ＣＸ1mに充電される。
【００４６】
次に、ゲートドライバＧＤ1によってゲートラインＧ1がＬレベルになり、ＧＤ2によってＧ2がΗレベルになり、ソースドライバ部２０の構成要素であるスイッチＳＷＡ1〜ＳＷＡmをオフ状態にし、スイッチＳＷＢ1〜ＳＷＢmをオン状態にすることにより全ソースラインＳ1〜Ｓmを共通電極の電位レベルＶcomにショートさせる。
【００４７】
この時、Ｖcomより高いレベルの電荷が蓄積されているソースラインの数とＶcomより低いレベルの電荷が蓄積されているソースラインの数は半分ずつであるためＶcomからみた場合、全ソースラインをＶcomレベルに充電するという動作はＶcomを介しての電荷の移動をするという動作もするため（その時のソースレベルの状態にもよる）ある程度電荷が相殺される。
【００４８】
その後、スイッチＳＷＡ1〜ＳＷＡmをオフ状態としスイッチＳＷＢ1〜ＳＷＢmをオン状態とし、ソースドライバＳＤ1〜ＳＤm1は所定のレベルを出力し次の液晶容量を充電するレべルにソースラインＳ1〜Ｓmを充電する。このソースラインＳ1〜Ｓmに、次のレベルを書き込む前にソースドライバＳＤ1〜ＳＤmを切り離しＶcomレベルとショートさせるという動作以外は従来例と同様であるため、これ以降の動作については説明を省略する。
【００４９】
以上説明したように、第１の実施形態に係る液晶表示装置の駆動回路及びその駆動方法は、ＬＣＤパネル１と、ゲートラインＧ1〜Ｇnを駆動するゲートドライバＧＤ1〜ＧＤnからなるゲートドライバ部１０と、ソースドライバＳＤ1〜ＳＤmの出力をソースラインＳ1〜Ｓmと接続可能としたスイッチＳＷＡ1〜ＳＷＡm及びＳＷＢ1〜ＳＷＢmを介して共通電極の電位ＶcomとソースラインＳ1〜Ｓmを接続可能としたソースドライバ部２０を備え、液晶容量への書き込みの初期時にソースドライバＳＤ1〜ＳＤmの出力を、スイッチＳＷＡ1〜ＳＷＡm及びＳＷＢ1〜ＳＷＢmによりソースラインＳ1〜Ｓmから切り離し、共通電極の電位Ｖcomにショートさせるようにしているので、全ソースラインに蓄積された電荷のＶcomレベル付近までの充電をショートによる電荷移動によって行うため、ソースドライバが全ソースラインをＶcomレベルに対して逆相のレベルに充電する場合よりも消費電流を削減することができる。
【００５０】
すなわち、従来例では全ソースラインに蓄積された電荷（特に、寄生容量ＣＣ1〜ＣＣmの電荷）を、ソースドライバの能力によって移動させた上で、ソースラインＳ1〜Ｓmを駆動するようにしていたため、ソースドライバにはより大きな駆動能力とそれに伴う消費電流が必要であった。これに対し、本駆動方式では、全ソースラインに蓄積された電荷（特に、寄生容量ＣＣ1〜ＣＣmの電荷）を、次のレベルを書き込む前にソースドライバＳＤ1〜ＳＤmを切り離しソースラインＳ1〜ＳmをＶcomレベルとショートさせることによってまず消滅させ、電荷消滅後にソースラインＳ1〜Ｓmを駆動するようにしていたため、ソースドライバには本来的なソースラインＳ1〜Ｓmの駆動能力があればよく消費電流を削減することが可能になる。また、ソースドライバの小型化・低コスト化を図ることができる。
【００５１】
また、ソースドライバの出力インピーダンスよりも低い抵抗で電荷移動を行うことにより所定のレベルまでソースラインを設定するまでの時間を短縮することができる。
【００５２】
なお、本実施形態では、１つのゲートライン上において常に隣り合う液晶容量に、Ｖcomに対して極性が逆の電位を充電している例で説明を行っているが、ある任意のドット毎にＶcomに対して極性が逆の電位を充電しても同様の効果が得られる言うまでもない。
【００５３】
第２の実施形態
図４は本発明の第２の実施形態に係る液晶表示装置の構成を示すブロック図である。なお、本実施形態に係る液晶表示装置の駆動回路及びその駆動方法の説明にあたり、図１と同一構成部分には同一符号を付している。
【００５４】
図４において、１はＬＣＤパネルであり、ＬＣＤパネル１はそのゲートラインＧ1〜Ｇnを駆動するゲートドライバ（ＧＤ1〜ＧＤn）部１０と、ソースラインＳ1〜Ｓm及び各ソースラインＳ1〜Ｓmに寄生する寄生容量ＣＣ1〜ＣＣmを駆動するソースドライバ部３０とから構成される。
【００５５】
ソースドライバ部３０は、ソースラインＳ1〜Ｓm及び各ソースラインＳ1〜Ｓmに寄生する寄生容量ＣＣ1〜ＣＣmを駆動するソースドライバＳＤ1〜ＳＤmと、ソースドライバＳＤ1〜ＳＤmの出力をソースラインＳ1〜Ｓmから切り離し隣接するソースライン同士をショートさせるスイッチＳＷＣ1〜ＳＷＣm及びＳＷＤ1〜ＳＷＤm-1とから構成されている。
【００５６】
このように、ＬＣＤパネル１と、ゲートラインＧ1〜Ｇnを駆動するゲートドライバＧＤ1〜ＧＤnからなるゲートドライバ部１０と、ソースドライバＳＤ1〜ＳＤmの出力をスイッチＳＷＣ1〜ＳＷＣm及びＳＷＤ1〜ＳＷＤm-1を介して隣のドライバ出力と接続したソースドライバ部２０から構成し、ソースドライバ部２０において、所定のタイミングにてスイッチＳＷＣ1〜ＳＷＣmをオフ、ＳＷＤ1〜ＳＷＤm-1をオンさせることにより、消費電流を低減し、かつソースラインＳ1〜Ｓmを所定のレベルまで充電／放電させる時間を短縮している。本構成では、上述の第１の実施形態のようにＶcomレベルをソースドライバ部に供給しなくてもよい。
【００５７】
以下、上述のように構成された液晶表示装置の動作を説明する。
【００５８】
本液晶表示装置の駆動回路は、前記図２に示すゲートドライバ駆動波形及び前記図３に示すソースドライバ駆動波形で駆動される。本実施形態では、６４階調表示を行う場合を例にして述べる。
【００５９】
まず、図２において、任意のソースドライバＳＤk-1は共通電極の電位Ｖcomより高い所定のレベルを出力しソースラインＳk-1を所定のレベルに充電する。同時に、ＳＤk-1の隣のソースドライバＳＤkはＶcomより低い所定のレベルを出力しソースラインＳkを所定のレベルに充電する。このように隣り合うソースラインがＶcomレベルを基準として極性が逆になるようにソースドライバＳＤ1〜ＳＤmはソースラインＳ1〜Ｓmを充電する。この時、同時にゲートドライバＧＤ1によってゲートラインＧ1がＨレベルになる。つまり、この状態においては、スイッチＳＷＣ1〜ＳＷＣmはオン状態であり、スイッチＳＷＤ1〜ＳＷＤm-1はオフ状態である。
【００６０】
この動作によってトランジスタＴＲ11〜ＴＲ1mがオン状態になり、ソースドライバＳＤ1〜ＳＤmの出力レベルがソースラインＳ1〜Ｓmを介してそれぞれ液晶容量ＣＸ11〜ＣΧ1mに充電される。
【００６１】
次に、ゲートドライバＧＤ1によってゲートラインＧ1がＬレベルになり、ゲートドライバＧＤ2によってゲートラインＧ2がΗレベルになり、ソースドライバ部３０の構成要素であるスイッチＳＷＣ1〜ＳＷＣmをオフ状態にし、スイッチＳＷＤ1〜ＳＷＤm-1をオン状態にすることにより全ソースラインをショートさせる。
【００６２】
この時、Ｖcomより高いレベルの電荷が蓄積されているソースラインの数とＶcomより低いレベルの電荷が蓄積されているソースラインの数は半分ずつであるため電荷の移動が起こり（その時のソースレベルの状態にもよる）電荷が相殺され当初のソースラインのレベルよりもＶcomの近いレベルになり安定する。
【００６３】
その後、スイッチＳＷＣ1〜ＳＷＣmをオフ状態としスイッチＳＷＤ1〜ＳＷＤm-1をオン状態とし、ソースドライバＳＤ1〜ＳＤm1は所定のレベルを出力し次の液晶容量を充電するレベルにソースラインＳ1〜Ｓmを充電する。このソースラインに、次のレベルを書き込む前にソースドライバを切り離しＶcomレベルとショートさせるという動作以外は従来例と同様であるため、これ以降の動作については説明を省略する。
【００６４】
以上説明したように、第２の実施形態に係る液晶表示装置の駆動回路及びその駆動方法は、ソースドライバＳＤ1〜ＳＤmの出力をソースラインＳ1〜Ｓmから切り離し隣接するソースライン同士をショートさせるスイッチＳＷＣ1〜ＳＷＣm及びＳＷＤ1〜ＳＷＤm-1を有するソースドライバ部３０を備え、ソースドライバ部３０は、隣り合うソースラインＳ1〜Ｓmが共通電極の電位を基準として極性が逆になるようにソースラインＳ1〜Ｓmを駆動する駆動方式の場合、液晶容量への書き込みの初期時にソースドライバＳＤ1〜ＳＤmの出力をソースラインＳ1〜Ｓmから切り離し、隣接するソースラインＳ1〜Ｓm同士をショートするようにしているので、第１の実施形態と同様に、ソースドライバが全ソースラインをＶcomレベルに対して逆相のレベルに充電する場合よりも消費電流を削減することができる。
【００６５】
特に、本実施形態では、全ソースラインに蓄積された電荷のＶcomレベル付近までの充電をソースライン同士のショートによる電荷移動によって行うため、第１の実施形態のようにＶcomレベルをソースドライバ部に供給することなく、消費電流の削減を行うことができる。また、ソースドライバの出力インピーダンスよりも低い抵抗で電荷移動を行うことにより所定のレベルまでソースラインを設定するまでの時間を短縮することができる。
【００６６】
さらにまた、本実施形態に係る液晶表示装置は、ソースライン同士をショートするスイッチＳＷＤ1〜ＳＷＤm-1に加え、ソースドライバＳＤ1〜ＳＤmの出力をソースラインＳ1〜Ｓmから切り離すためのスイッチＳＷＣ1〜ＳＷＣmを有し、上述したスイッチのオン／オフタイミング、すなわち、まずスイッチＳＷＣ1〜ＳＷＣmはオン、スイッチＳＷＤ1〜ＳＷＤm-1はオフ状態として隣り合うソースラインがＶcomレベルを基準として極性が逆になるようにソースドライバＳＤ1〜ＳＤmはソースラインＳ1〜Ｓmを充電し、次にスイッチＳＷＣ1〜ＳＷＣmをオフ、スイッチＳＷＤ1〜ＳＷＤm-1をオン状態にすることにより全ソースラインをショートさせる。このようにソースラインに、次のレベルを書き込む前にソースドライバを切り離しＶcomレベルとショートさせるという動作を行っている。
【００６７】
したがって、隣接するソースライン同士を単にスイッチによりショートする態様ではなく、ソースドライバ出力をソースラインと切り離してからソースライン同士をショートしているので、ソースライン同士のショートによる電荷移動がソースドライバの影響（各ソースドライバに至る配線抵抗、配線容量等の差異）を受けることはない。
【００６８】
なお、本実施形態では、１つのゲートライン上において常に隣り合う液晶容量に、Ｖcomに対して極性が逆の電位を充電している例で説明を行っているが、ある任意のドット毎にＶcomに対して極性が逆の電位を充電しても同様の効果が得られることは言うまでもない。
【００６９】
第３の実施形態
図５は本発明の第３の実施形態に係る液晶表示装置の構成を示すブロック図である。なお、本実施形態に係る液晶表示装置の駆動回路及びその駆動方法の説明にあたり、図４と同一構成部分には同一符号を付している。
【００７０】
図５において、１はＬＣＤパネルであり、ＬＣＤパネル１はそのゲートラインＧ1〜Ｇnを駆動するゲートドライバ（ＧＤ1〜ＧＤn）部１０と、ソースラインＳ1〜Ｓm及び各ソースラインＳ1〜Ｓmに寄生する寄生容量ＣＣ1〜ＣＣmを駆動するソースドライバ部４０とから構成される。
【００７１】
ソースドライバ部４０は、ソースラインＳ1〜Ｓm及び各ソースラインＳ1〜Ｓmに寄生する寄生容量ＣＣ1〜ＣＣmを駆動するソースドライバＳＤ1〜ＳＤmと、ソースドライバＳＤ1〜ＳＤmの出力をソースラインＳ1〜Ｓmから切り離し隣接するソースライン同士をショートさせるスイッチＳＷＣ1〜ＳＷＣm及びＳＷＤ1〜ＳＷＤm-1とから構成されている。また、スイッチＳＷＤ1〜ＳＷＤm-1は、前記第２の実施形態のように全てのソースドライバ出力同士を接続するのではなく、１つおきに設置されている。
【００７２】
このように、常に隣り合う液晶容量に、Ｖcomに対して極性が逆の電位を充電する駆動方式において、ＬＣＤパネル１と、ゲートラインＧ1〜Ｇnを駆動するゲートドライバＧＤ1〜ＧＤnからなるゲートドライバ部１０と、ソースドライバＳＤ1〜ＳＤmの出力をスイッチＳＷＣ1〜ＳＷＣm及びＳＷＤ1〜ＳＷＤm-1を介して隣のドライバ出力と１つおきに接続したソースドライバ部３０から構成し、ソースドライバ部３０において、所定のタイミングにてスイッチＳＷＣ1〜ＳＷＣmをオフ、ＳＷＤ1〜ＳＷＤm-1をオンさせることにより、消費電流を低減し、かつソースラインＳ1〜Ｓmを所定のレベルまで充電／放電させる時間を短縮している。本構成では、上述の第１の実施形態のようにＶcomレベルをソースドライバ部に供給しなくてもよく、また上述の第２の実施形態に比べ隣のドライバと接続を行うスイッチを半分に削減できる。
【００７３】
以下、上述のように構成された液晶表示装置の動作を説明する。
【００７４】
本液晶表示装置の駆動回路は、前記図２に示すゲートドライバ駆動波形及び前記図３に示すソースドライバ駆動波形で駆動される。本実施形態では、６４階調表示を行う場合を例にして述べる。
【００７５】
まず、図２において、任意のソースドライバＳＤk-1は共通電極の電位Ｖcomより高い所定のレベルを出力しソースラインＳk-1を所定のレベルに充電する。同時に、ＳＤk-1の隣のソースドライバＳＤkはＶcomより低い所定のレベルを出力しソースラインＳkを所定のレベルに充電する。このように隣り合うソースラインがＶcomレベルを基準として極性が逆になるようにソースドライバＳＤ1〜ＳＤmはソースラインＳ1〜Ｓmを充電する。この時、同時にゲートドライバＧＤ1によってゲートラインＧ1がΗレベルになる。つまり、この状態においては、スイッチＳＷＣ1〜ＳＷＣmはオン状態であり、スイッチＳＷＤ1〜ＳＷＤm-1はオフ状態である。
【００７６】
この動作によってトランジスタＴＲ11〜ＴＲ1mがオン状態になり、ソースドライバＳＤ1〜ＳＤmの出力レベルがソースラインＳ1〜Ｓmを介してそれぞれ液晶容量ＣＸ11〜ＣＸ1mに充電される。
【００７７】
次に、ゲートドライバＧＤ1によってゲートラインＧ1がＬレベルになり、ゲートドライバＧＤ2によってゲートラインＧ2がΗレベルになり、ソースドライバの構成要素であるＳＷＣ1〜ＳＷＣmをオフ状態にし、ＳＷＤ1〜ＳＷＤm-1をオン状態にすることにより全ソースラインをショートさせる。
【００７８】
この時Ｖcomより高いレベルの電荷が蓄積されているソースラインの数とＶcomより低いレベルの電荷が蓄積されているソースラインの数は半分ずつであるため電荷の移動が起こり（その時のソースレベルの状態にもよる）電荷が相殺され当初のソースラインのレベルよりもＶcomに近いレベルになり安定する。
【００７９】
その後、スイッチＳＷＣ1〜ＳＷＣmをオフ状態としスイッチＳＷＤ1〜ＳＷＤm-1をオン状態とし、ソースドライバＳＤ1〜ＳＤmは所定のレベルを出力して次の液晶容量を充電するレベルにソースラインＳ1〜Ｓmを充電する。
【００８０】
このソースラインＳ1〜Ｓmに、次のレベルを書き込む前にソースドライバを切り離しＶcomレベルとショートさせるという動作以外は従来例と同様である。
【００８１】
以上説明したように、第３の実施形態に係る液晶表示装置の駆動回路及びその駆動方法は、常に隣り合う液晶容量にＶcomに対して極性が逆の電位を充電する駆動方式を前提とし、ソースドライバ部４０が、ソースドライバＳＤ1〜ＳＤmの出力をソースラインＳ1〜Ｓmから切り離し隣接するソースライン同士をショートさせるスイッチＳＷＣ1〜ＳＷＣm及びＳＷＤ1〜ＳＷＤm-1備え、スイッチＳＷＤ1〜ＳＷＤm-1は１つおきの隣り合うソースドライバ出力をショートさせるようにスイッチＳＷＣ1〜ＳＷＣmの半分の数で構成したので、第２の実施形態と同様に、ソースドライバが全ソースラインをＶcomレベルに対して逆相のレベルに充電する場合よりも消費電流を削減することができ、ソースドライバの出力インピーダンスよりも低い抵抗で電荷移動を行うことにより所定のレベルまでソースラインを設定するまでの時間を短縮することができる。
【００８２】
特に、本実施形態では、ドライバ出力をショートさせるスイッチＳＷＤ1〜ＳＷＤm-1が１つおきに設置されているので、第２の実施形態に比べスイッチＳＷＤ1〜ＳＷＤm-1の数を半分にすることができる。
【００８３】
第４の実施形態
図６は本発明の第４の実施形態に係る液晶表示装置の構成を示すブロック図である。なお、本実施形態に係る液晶表示装置の駆動回路及びその駆動方法の説明にあたり、図１と同一構成部分には同一符号を付している。
【００８４】
図６において、１はＬＣＤパネルであり、ＬＣＤパネル１はそのゲートラインＧ1〜Ｇnを駆動するゲートドライバ（ＧＤ1〜ＧＤn）部１０と、ソースラインＳ1〜Ｓm及び各ソースラインＳ1〜Ｓmに寄生する寄生容量ＣＣ1〜ＣＣmを駆動するソースドライバ部５０とから構成される。
【００８５】
ソースドライバ部５０は、ソースラインＳ1〜Ｓm及び各ソースラインＳ1〜Ｓmに寄生する寄生容量ＣＣ1〜ＣＣmを駆動するソースドライバＳＤ1〜ＳＤmと、ソースドライバＳＤ1〜ＳＤmの出力をソースラインＳ1〜Ｓmから切り離し、抵抗Ｒ１を介してソースラインＳ1〜Ｓmを共通電極の電位ＶcomにショートさせるスイッチＳＷＡ1〜ＳＷＡm及びＳＷＢ1〜ＳＷＢmとから構成されている。
【００８６】
このように、ＬＣＤパネル１と、ゲートラインＧ1〜Ｇnを駆動するゲートドライバＧＤ1〜ＧＤnからなるゲートドライバ部１０と、ソースドライバＳＤ1〜ＳＤmの出力をソースラインＳ1〜Ｓmと接続可能とするスイッチＳＷＡ1〜ＳＷＡm及びＳＷＢ1〜ＳＷＢmを介して共通電極の電位Ｖcomと接続可能としたソースドライバ部５０から構成し、ソースドライバ部５０において、所定のタイミングにてスイッチをオンすることにより抵抗Ｒ１を介してソースラインＳ1〜Ｓmに蓄積した電荷を移動させて、放電時のピーク電流を低減しノイズ対策を行う。
【００８７】
以下、上述のように構成された液晶表示装置の動作を説明する。
【００８８】
本液晶表示装置の駆動回路は、前記図２に示すゲートドライバ駆動波形及び前記図３に示すソースドライバ駆動波形で駆動される。本実施形態では、６４階調表示を行う場合を例にして述べる。
【００８９】
図２及び図６において、ゲートドライバＧＤ1によってゲートラインＧ1がＬレベルになり、ゲートドライバＧＤ2によってＧ2がＨレベルになり、ソースドライバ部５０の構成要素であるスイッチＳＷＡ1〜ＳＷＡmをオフ状態にし、スイッチＳＷＢ1〜ＳＷＢmをオン状態にすることにより全ソースラインＳ1〜Ｓmを共通電極の電位レベルＶcomとショートさせる。この時、電荷の移動が早すぎると、ソースラインとゲートラインの交差部分等でのライン間の寄生容量によりゲートラインのレベルが影響され誤動作の原因となる。この現象はゲートドライバから遠いスイッチトランジスタに発生しやすい。この現状を回避するため、本実施形態では電荷移動を抵抗Ｒ１を介して行うことにより電荷の移動を制御しピーク電流を抑えている。また、このスイッチと抵抗をトランジスタで作ることにより容易にΙＣ内部に作り込むことが可能である。
【００９０】
以上説明したように、第４の実施形態に係る液晶表示装置の駆動回路及びその駆動方法では、全ソースラインに蓄積された電荷のＶcomレベル付近までの充電の電荷移動を抵抗Ｒ１を介して行うため、ソースラインとゲートラインのライン容量による誤動作を防ぐことができる。
【００９１】
第５の実施形態
図７は本発明の第５の実施形態に係る液晶表示装置の構成を示すブロック図である。なお、本実施形態に係る液晶表示装置の駆動回路及びその駆動方法の説明にあたり、図４と同一構成部分には同一符号を付している。
【００９２】
図７において、１はＬＣＤパネルであり、ＬＣＤパネル１はそのゲートラインＧ1〜Ｇnを駆動するゲートドライバ（ＧＤ1〜ＧＤn）部１０と、ソースラインＳ1〜Ｓm及び各ソースラインＳ1〜Ｓmに寄生する寄生容量ＣＣ1〜ＣＣmを駆動するソースドライバ部６０とから構成される。
【００９３】
ソースドライバ部６０は、ソースラインＳ1〜Ｓm及び各ソースラインＳ1〜Ｓmに寄生する寄生容量ＣＣ1〜ＣＣmを駆動するソースドライバＳＤ1〜ＳＤmと、ソースドライバＳＤ1〜ＳＤmの出力をソースラインＳ1〜Ｓmから切り離し抵抗Ｒ２を介して隣接するソースライン同士をショートさせるスイッチＳＷＣ1〜ＳＷＣm及びＳＷＤ1〜ＳＷＤm-1とから構成されている。
【００９４】
このように、ＬＣＤパネル１と、ゲートラインＧ1〜Ｇnを駆動するゲートドライバＧＤ1〜ＧＤnからなるゲートドライバ部１０と、ソースドライバＳＤ1〜ＳＤmの出力をソースラインＳ1〜Ｓmと接続可能としたスイッチＳＷＣ1〜ＳＷＣm及びＳＷＤ1〜ＳＷＤm-1を介して隣のソースラインＳ1〜Ｓmと接続可能としたソースドライバ部６０から構成し、ソースドライバ部６０において、所定のタイミングにてスイッチをオンすることにより抵抗Ｒ２を介してソースラインＳ1〜Ｓmに蓄積した電荷を移動させて、放電時のピーク電流を低減しノイズ対策を行う。
【００９５】
以下、上述のように構成された液晶表示装置の動作を説明する。
【００９６】
本液晶表示装置の駆動回路は、前記図２に示すゲートドライバ駆動波形及び前記図３に示すソースドライバ駆動波形で駆動される。
【００９７】
図２及び図７において、ゲートドライバＧＤ1によってゲートラインＧ1がＬレベルになり、ゲートドライバＧＤ2によってゲートラインＧ2がΗレベルになり、ソースドライバ部３０の構成要素であるスイッチＳＷＣ1〜ＳＷＣmをオフ状態にし、スイッチＳＷＤ1〜ＳＷＤm-1をオン状態にすることにより全ソースラインをショートさせる。
【００９８】
この時、電荷の移動が早すぎると、ソースラインとゲートラインの交差部分等でのライン間の寄生容量によりゲートラインのレベルが影響され誤動作の原因となる。この現象はゲートドライバから遠いスイッチトランジスタに発生しやすい。この現状を回避するため、本実施形態では電荷移動を抵抗Ｒ２を介して行うことにより電荷の移動を制御しピーク電流を抑えている。また、このスイッチと抵抗をトランジスタで作ることにより容易にΙＣ内部に作り込むことが可能である。
【００９９】
以上説明したように、第５の実施形態に係る液晶表示装置の駆動回路及びその駆動方法では、ソースドライバＳＤ1〜ＳＤmの出力をソースラインＳ1〜Ｓmから切り離し隣接するソースライン同士をショートさせるスイッチＳＷＣ1〜ＳＷＣm及びＳＷＤ1〜ＳＷＤm-1を備え、ショートによる電荷移動を抵抗Ｒ２を介して行うようにしているので、第２の実施形態と同様に、消費電流を削減することができ、さらにソースラインとゲートラインのライン容量による誤動作を防ぐことができる。
【０１００】
なお、本実施形態では、図４に示す第２の実施形態において抵抗Ｒ２を挿入しショート時の誤動作を未然に防止するようにしているが、同様に図５に示す第３の実施形態において抵抗Ｒ２を挿入しショート時の誤動作を防ぐようにしてもよい。また、この抵抗はスイッチとともにトランジスタで作ることができる。
【０１０１】
第６の実施形態
図８は本発明の第６の実施形態に係る液晶表示装置の構成を示すブロック図である。なお、本実施形態に係る液晶表示装置の駆動回路及びその駆動方法の説明にあたり、図１と同一構成部分には同一符号を付している。
【０１０２】
図８において、１はＬＣＤパネルであり、ＬＣＤパネル１はそのゲートラインＧ1〜Ｇnを駆動するゲートドライバ（ＧＤ1〜ＧＤn）部１０と、ソースラインＳ1〜Ｓm及び各ソースラインＳ1〜Ｓmに寄生する寄生容量ＣＣ1〜ＣＣmを駆動するソースドライバ部７０とから構成される。
【０１０３】
ソースドライバ部７０は、ソースラインＳ1〜Ｓm及び各ソースラインＳ1〜Ｓmに寄生する寄生容量ＣＣ1〜ＣＣmを駆動するソースドライバＳＤ1〜ＳＤmと、ソースドライバＳＤ1〜ＳＤmの出力をソースラインＳ1〜Ｓmから切り離し、ソースラインＳ1〜Ｓmをゲートドライバ出力の１／２電位ＶGD/2にショートさせるスイッチＳＷＡ1〜ＳＷＡm及びＳＷＢ1〜ＳＷＢmとから構成されている。
【０１０４】
このように、ＬＣＤパネル１と、ゲートラインＧ1〜Ｇnを駆動するゲートドライバＧＤ1〜ＧＤnからなるゲートドライバ部１０と、ソースドライバＳＤ1〜ＳＤmの出力をスイッチＳＷＡ1〜ＳＷＡm及びＳＷＢ1〜ＳＷＢmを介してゲートドライバ出力の１／２電位ＶGD/2と接続したソースドライバ部７０から構成し、ソースドライバ部７０において、所定のタイミングにてソースラインＳ1〜ＳmとＶGD/2レベルをショートさせることにより、消費電流を低減し、かつソースラインＳ1〜Ｓmを所定のレベルまで充電／放電させる時間を短縮している。
【０１０５】
以下、上述のように構成された液晶表示装置の動作を説明する。
【０１０６】
本実施形態では、液晶容量への書き込みの初期時にショートさせる電位を、共通電極の電位レベルＶcomからソースドライバ出力の１／２電位ＶSD/2に変えているがこれは以下のような理由からである。
【０１０７】
すなわち、ＴＦＴの問題点としてはＴＦＴのゲート・ドレイン寄生容量ＣGDによってゲート電圧変化に対して保持電圧が低下（ΔＶGD）する現象がある。この電圧降下ΔＶGDが直流電圧として残ると焼き付き、フリッカなどの原因となるため、通常、共通電極の電位レベルＶcomをビデオ中心より電圧降下ΔＶGD相当分だけずらすことにより液晶に直流電圧が加わらないようにして取り除くようにしている。
【０１０８】
したがって、次のレベルを書き込む前にソースドライバＳＤ1〜ＳＤmを切り離しソースラインＳ1〜Ｓmをショートさせる最も好ましい電位は、共通電極の電位ＶcomではなくそのＶcomから電圧降下ΔＶGD相当分だけずらした電位である。本実施形態では、この電位に相当する電位をソースドライバ出力の１／２電位ＶSD/2から得るようにしている。
【０１０９】
ソースラインＳ1〜Ｓmに、次のレベルを書き込む前にソースドライバＳＤ1〜ＳＤmを切り離しＶSD/2レベルとショートさせるという動作以外は第１の実施形態と同様である。
【０１１０】
以上説明したように、第６の実施形態に係る液晶表示装置の駆動回路及びその駆動方法では、全ソースラインに蓄積された電荷のＶSD/2レベル付近までの充電を電荷移動によって行うため、全ソースラインをＶSD/2レベルに対して逆相のレベルにソースドライバが充電する場合よりも消費電流が削減でき、ソースドライバの出力インピーダンスよりも低い抵抗で電荷移動を行うことにより所定のレベルまでソースラインを設定するまでの時間を短縮することができる。
【０１１１】
特に、ショートによる電荷移動を共通電極の電位ＶcomではなくそのＶcomから電圧降下ΔＶGD相当分だけずらしたソースドライバ出力の１／２電位ＶSD/2としているので、該電荷移動の際に直流電流が重畳することがなく、上述した効果の実効を図ることができる。
【０１１２】
ここで、共通電極の電位Ｖcomから電圧降下ΔＶGD相当分だけずらした電位であればどのような電位でもよいが、本実施形態ではソースドライバ出力の１／２電位として容易に得ることが可能な電位ＶSD/2を用いている。
【０１１３】
なお、本実施形態では、図１に示す第１の実施形態において共通電極の電位Ｖcomに代えてソースドライバ出力の１／２電位ＶSD/2を用いているが、同様に図６に示す第４の実施形態において電位ＶSD/2を用いてより一層効果を高めるようにしてもよい。
【０１１４】
第７の実施形態
前記図１８に示すような液晶表示装置において、ゲートドライバ及びソースドライバによる駆動波形を図９及び図１０に示すような駆動波形を出力するものに変えることにより消費電流の低減を図ることができる。本実施形態における構成は、前記各実施形態に示す構成又は前記図１８に示す従来の構成に適用することができる。
【０１１５】
例えば、本実施形態を前記図１８に示す構成に適用し、図９及び図１０に示すような駆動波形にすることにより、ゲートラインに毎にＶcomに対して反対の極性の充電を行うのではなく、数ライン毎に行うことによりソースラインの寄生容量の充電／放電回数を低減することにより消費電流の低減を図っている。
【０１１６】
以下、上述のように構成された液晶表示装置の動作を説明する。
【０１１７】
図９はゲートドライバ部の駆動波形を示す波形図、図１０はソースドライバ部のソースドライバＳＤ1〜ＳＤmの駆動波形を示す波形図であり、図９は前記図２０と同一である。
【０１１８】
前記図１８に示す駆動回路は、図９のゲートドライバ駆動波形及び図１０のソースドライバ駆動波形で駆動される。本実施形態では、図１０のソースドライバ駆動波形に示すように、充電するレベルをＶcomに対して３ライン毎に反転させる例である。
【０１１９】
まず、図１８において、任意のソースドライバＳＤk-1はＶcomより高い所定の６４個のアナログレベルのうち選択された１つの（Ｖcomより高い）レベルを出力しソースラインＳk-1を所定のレベルに充電する。同時に、ＳＤk-1の隣のソースドライバＳＤkはＶcomより低い所定の６４個のアナログレベルのうち選択された１つの（Ｖcomより低い）レベルを出力しソースラインＳkを所定のレベルに充電する。このように隣り合うソースラインがＶcomレベルを基準として極性が逆になるようにソースドライバＳＤ1〜ＳＤmはソースラインＳ1〜Ｓmを充電する。この時、同時にゲートドライバＧＤ1によってゲートラインＧ1がＨレベルになる。
【０１２０】
この動作によってトランジスタＴＲ11〜ＴＲ1mがオン状態になり、ソースドライバＳＤ1〜ＳＤmの出力レべルがソースラインＳ1〜Ｓmを介してそれぞれ液晶容量ＣＸ11〜ＣＸ1mに充電される。
【０１２１】
次に、ゲートドライバＧＤ1によってゲートラインＧ1がＬレベルになり、ゲートドライバＧＤ2によってゲートラインＧ2がＨレベルになると同時に各ソースラインＳ1〜Ｓmに液晶容量ＣΧ21〜ＣΧ2mに充電するレベルをソースドライバＳＤ1〜ＳＤmにより駆動する。
【０１２２】
この時、図１０に示すようにソースラインに設定されるレベルはゲートラインＧ1がΗレベルの時と同様にＶcomレベルより高いレベルを充電している。そして、ゲートドライバＧＤ3がΗレベルになった時も同様にＶcomレベルより高いレベルを充電している。ゲートドライバＧＤ4がＨレベルになった時に初めてＶcomレベルより低いレベルを充電している。そして、ゲートドライバＧＤ5、ＧＤ6がΗレベルになった時も同様にＶcomレベルより低いレベルを充電している。
【０１２３】
このように、３ライン毎に充電するレベルをＶcomに対して反転させることにより、ソースラインの寄生容量ＣＣ1〜ＣＣmを充電／放電する回数を低減させている。その他の動作は従来と同様である。
【０１２４】
以上説明したように、第７の実施形態に係る液晶表示装置の駆動回路及びその駆動方法では、ゲートドライバ（ＧＤ1〜ＧＤn）部１０が、液晶容量への書き込みレベル出力を、３ゲートライン毎に共通電極に対して反転して行うように構成しているので、ソースラインの寄生容量のＶcomをまたぐ充電／放電の回数が減るため、消費電流を低減することができる。
【０１２５】
ここで、本実施形態では、図１０のソースドライバ駆動波形に示すように、充電するレベルをＶcomに対して３ライン毎に反転させるようにしているが、３ライン毎に限定されない。
【０１２６】
また、本実施形態では、図１８の従来例に適用した例について説明したが、勿論これには限定されず、上述の各実施形態と組み合わせることも可能である。このように上述の各実施形態と組み合わせるようにすれば、上述の各実施形態の効果に本実施形態の効果を加えることができる。
【０１２７】
上述した第１〜第７の各実施形態により、各ソースラインＳ1〜Ｓmに寄生する寄生容量ＣＣ1〜ＣＣmの充電時／放電時の消費電流を低減することができ、ソースラインを所定のレベルまで充電／放電させる時間を短縮させることができた。
【０１２８】
ところで、前記図１９の従来例で述べたように、各ゲートラインＧ1〜Ｇnには寄生容量ＣＣ1〜ＣＣnがあるため、ゲートドライバＧＤ1〜ＧＤnはこの寄生容量ＣＣ1〜ＣＣnを充放電できるように設計する必要があり、ゲートドライバの大型化や寄生容量ＣＣ1〜ＣＣnへの充放電に伴う消費電流若しくは消費電力の増加を招いていた。
【０１２９】
以下、第８〜第１３の実施形態により、このゲートラインＧ1〜Ｇnに寄生する寄生容量ＣＣ1〜ＣＣnの充電時／放電時の消費電流の削減方法について詳細に説明する。
【０１３０】
第８の実施形態
図１１は本発明の第８の実施形態に係る液晶表示装置の構成を示すブロック図である。なお、本実施形態に係る液晶表示装置の駆動方法の説明にあたり、図１９と同一構成部分には同一符号を付している。
【０１３１】
図１１において、１はＬＣＤパネルであり、ＬＣＤパネル１はソースラインＳ1〜Ｓmを駆動するソースドライバ（ＳＤ1〜ＳＤm）部１００と、ゲートラインＧ1〜Ｇn及び各ゲートラインＧ1〜Ｇnに寄生する寄生容量ＣＣ1〜ＣＣnを駆動するゲートドライバ部１１０とから構成されている。
【０１３２】
ＬＣＤパネル１はスイッチトランジスタＴＲ11〜ＴＲnm、液晶電極ＣＸ11〜ＣΧnm、及び電圧レベルＶcomを印加する共通電極（図示せず）により各々液晶画素が構成され、その画素をマトリクス状に配して構成される。
【０１３３】
このように、ＬＣＤパネル１と、ソースラインＳ1〜Ｓmを駆動するソースドライバＳＤ1〜ＳＤmからなるソースドライバ部１００と、ゲートドライバＧＤ1〜ＧＤnの出力をスイッチＳＷＡ1〜ＳＷΑn及びＳＷＢ1〜ＳＷＢnを介してゲートドライバ出力電圧振幅の１／２電位ＶGD/2と接続したゲートドライバ部１１０から構成し、ゲートドライバ部１１０において、所定のタイミングにてゲートラインＧ1〜ＧnとＶGD/2レベルをショートさせることにより消費電流を低減している。
【０１３４】
以下、上述のように構成された液晶表示装置の駆動方法を説明する。
【０１３５】
図１２はゲートドライバ部１１０のゲートドライバＧＤ1〜ＧＤnの駆動波形を示す波形図である。本液晶表示装置のゲート駆動回路は、図１２に示すゲートドライバ駆動波形で駆動される。
【０１３６】
まず、図１１において、ソースドライバＳＤ1〜ＳＤmはソースラインＳ1〜Ｓmを所定のアナログレベルに充電する。この時、同時にゲートドライバＧＤk（ｋ＝１，…，ｎ）によってゲートラインＧkがＬレベルからＨレベルになるように、また、ゲートドライバＧＤk-1によってゲートラインＧk-1がＨレベルからＬレベルになるように駆動される直前にゲートドライバ部１１０の構成要素であるスイッチＳＷＡk及びＳＷＡk-1をオフ状態にし、スイッチＳＷＢk及びＳＷＢk-1をオン状態にすることにより、ゲートラインＧk及びＧk-1をゲートドライバ出力電圧振幅の１／２電位ＶGD/2にショートさせる。
【０１３７】
その後、スイッチＳＷＡk及びＳＷＡk-1をオン状態、スイッチＳＷＢk及びＳＷＢk-1をオフ状態とし、ゲートドライバＧＤkによってゲートラインＧkをＨレベルになるように、また、ゲートドライバＧＤk-1によってゲートラインＧk-1をＬレベルになるように駆動する。この動作によってＴＲk1〜ＴＲkmのトランジスタがオン状態、また、ＴＲk-1〜ＴＲk-1mのトランジスタがオフ状態になり、ソースドライバＳＤ1〜ＳＤmの出力レベルがソースラインＳ1〜Ｓmを介してそれぞれ液晶容量ＣΧk1〜ＣＸkmに充電される。これ以降のゲートラインＧk+1〜Ｇnの駆動についても同様な動作をするため説明は省略する。
【０１３８】
以上説明したように、第８の実施形態に係る液晶表示装置の駆動方法は、ＬＣＤパネル１と、ソースラインＳ1〜Ｓmを駆動するソースドライバＳＤ1〜ＳＤmからなるソースドライバ部１００と、ゲートドライバＧＤ1〜ＧＤnの出力をスイッチＳＷＡ1〜ＳＷＡn及びＳＷＢ1〜ＳＷＢnを介してゲートドライバ出力電圧振幅の１／２電位ＶGD/2と接続したゲートドライバ部１１０を備え、ゲートラインの駆動前にゲートドライバＧＤ1〜ＧＤnの出力を、スイッチＳＷΑ1〜ＳＷＡn及びＳＷＢ1〜ＳＷＢnにより切り離し、ゲートドライバ出力電圧振幅の１／２電位ＶGD/2にショートさせる、すなわちゲートドライバ出力がオンまたはオフする瞬間のトランジェント時にゲートラインをＶGD/2にショートさせるようにしているので、各々のゲートラインに蓄積された電荷のＶGD/2レベル付近までの充放電を、ショートによる電荷移動によって行うため、ゲートドライバが各々のゲートラインをΗまたはＬレベルに充電する場合よりも消費電流を削減することができる。
【０１３９】
すなわち、従来例では各ゲートラインに蓄積された電荷（特に、寄生容量ＣＣ1〜ＣＣnの電荷）を、ゲートドドライバの能力によって移動させた上で、ゲートラインＧ1〜Ｇnを駆動するようにしていたため、ゲートドライバにはより大きな駆動能力とそれに伴う消費電流が必要であった。これに対し、本駆動方式では、ゲートラインＧk及びＧk-1を駆動する前にゲートドライバＧＤk及びＧＤk-1を切り離しＶGD/2レベルとショートさせることによって、各ゲートラインに蓄積された電荷（特に、寄生容量ＣＣ1〜ＣＣnの電荷）をまず減少させ、電荷減少後にゲートラインＧk及びＧk-1を駆動するようにしているため、ゲートドライバには本来的な駆動能力があればよく消費電流を削減することが可能になる。また、ゲートドライバの小型化・低コスト化を図ることができる。
【０１４０】
第９の実施形態
図１３は本発明の第９の実施形態に係る液晶表示装置の構成を示すブロック図である。なお、本実施形態に係る液晶表示装置の駆動方法の説明にあたり、図１１と同一構成部分には同一符号を付している。
【０１４１】
図１３において、１はＬＣＤパネルであり、ＬＣＤパネル１はそのゲートラインＧ1〜Ｇn及び各ゲートラインＧ1〜Ｇnに寄生する寄生容量ＣＣ1〜ＣＣnを駆動するゲートドライバ部１２０と、ソースラインＳ1〜Ｓmを駆動するソースドライバ（ＳＤ1〜ＳＤm）部１００とから構成されている。
【０１４２】
ＬＣＤパネル１はスイッチトランジスタＴＲ11〜ＴＲnm、液晶電極ＣＸ11〜ＣＸnm、及び電圧レベルＶcomを印加する共通電極（図示せず）により各々液晶画素が構成され、その画素をマトリクス状に配して構成される。
【０１４３】
ゲートドライバ部１２０は、ゲートラインＧ1〜Ｇn及び各ゲートラインＧ1〜Ｇnに寄生する寄生容量ＣＣ1〜ＣＣnを駆動するゲートドライバＧＤ1〜ＧＤnと、ゲートドライバＧＤ1〜ＧＤnの出力をゲートラインＧ1〜Ｇnから切り離し、共通電極の電位ＶcomにショートさせるスイッチＳＷＡ1〜ＳＷΑn及びＳＷＢ1〜ＳＷＢnとから構成されている。これらのスイッチは、例えばＦＥＴ等のトランジスタにより容易にドライバ内部に作り込むことが可能である。
【０１４４】
このように、ＬＣＤパネル１と、ソースラインＳ1〜Ｓmを駆動するソースドライバＳＤ1〜ＳＤmからなるソースドライバ部１００と、ゲートドライバＧＤ1〜ＧＤnの出力をスイッチＳＷΑ1〜ＳＷＡn及びＳＷＢ1〜ＳＷＢnを介して共通電極の電位Ｖcomと接続したゲートドライバ部１２０から構成し、ゲートドライバ部１２０において、所定のタイミングにてゲートラインＧ1〜ＧnとＶcomレベルをショートさせることにより、消費電流を低減している。
【０１４５】
以下、上述のように構成された液晶表示装置の駆動方法を説明する。
【０１４６】
本液晶表示装置のゲート駆動回路は、前記図１２に示すゲートドライバ駆動波形で駆動される。
【０１４７】
図１３において、ソースドライバＳＤ1〜ＳＤmはソースラインＳ1〜Ｓmを所定のアナログレベルに充電する。この時、同時にゲートドライバＧＤk（ｋ＝１，…，ｎ）によってゲートラインＧkがＬレベルからＨレべルになるように、また、ゲートドライバＧＤk-1によってゲートラインＧk-1がＨレベルからＬレベルになるように駆動される直前にゲートドライバ部１２０の構成要素であるスイッチＳＷＡk及びＳＷＡk-1をオフ状態にし、スイッチＳＷＢk及びＳＷＢk-1をオン状態にすることにより、ゲートラインＧk及びＧk-1を共通電極の電位Ｖcomにショートさせる。
【０１４８】
その後、スイッチＳＷＡk及びＳＷＡk-1をオン状態、スイッチＳＷＢk及びＳＷＢk-1をオフ状態とし、ゲートドライバＧＤkによってゲートラインＧk-1がＨレベルになるように、また、ゲートドライバＧＤk-1によってゲートラインＧk-1をＬレベルになるように駆動する。この動作によってＴＲk1〜ＴＲkmのトランジスタがオン状態、また、ＴＲk-1〜ＴＲk-1mのトランジスタがオフ状態になり、ソースドライバＳＤ1〜ＳＤmの出力レベルがソースラインＳ1〜Ｓmを介してそれぞれ液晶容量ＣＸk1〜ＣＸkmに充電される。これ以降のゲートラインＧk+1〜Ｇnの駆動についても同様な動作をするため説明は省略する。
【０１４９】
以上説明したように、第９の実施形態に係る液晶表示装置の駆動方法は、ＬＣＤパネル１と、ソースラインＳ1〜Ｓmを駆動するソースドライバＳＤ1〜ＳＤmからなるソースドライバ部１００と、ゲートドライバＧＤ−〜ＧＤnの出力をスイッチＳＷＡ1〜ＳＷＡｎ及びＳＷＢ1〜ＳＷＢnを介して共通電極の電位Ｖcomと接続したゲートドライバ部１２０を備え、ゲートラインの駆動前にゲートドライバＧＤ1〜ＧＤnの出力を、スイッチＳＷＡ1〜ＳＷＡn及びＳＷＢ1〜ＳＷＢnにより切り離し、共通電極の電位Ｖcomにショートさせる、すなわちゲートドライバ出力がオンまたはオフする瞬間のトランジェント時にゲートラインをＶcomにショートさせるようにしているので、各々のゲートラインに蓄積された電荷のＶcomレベル付近までの充放電をショートによる電荷移動によって行うため、ゲートドライバが各々のゲートラインをＨまたはＬレベルに充電する場合よりも消費電流を削減することができる。
【０１５０】
このように本駆動方式では、ゲートラインＧk及びＧk-1を駆動する前にゲートドライバＧＤk及びＧＤk-1を切り離しＶcomレベルとショートさせることによって、各ゲートラインに蓄積された電荷（特に、寄生容量ＣＣ1〜ＣＣnの電荷）をまず消滅させ、電荷消滅後にゲートラインＧk及びＧk-1を駆動するようにしているため、ゲートドライバには本来的な駆動能力があればよく、第８の実施形態と同様に消費電流を削減することが可能になる。
【０１５１】
また、本実施形態では、ゲートラインＧk及びＧk-1を駆動する前にゲートドライバＧＤk及びＧＤk-1を切り離しショートさせる電位に、共通電極の電位Ｖcomレベルを用いているため、既にあるＶcomレベルをそのまま用いることができ実施が容易である利点がある。
【０１５２】
第１０の実施形態
図１４は本発明の第１０の実施形態に係る液晶表示装置の構成を示すブロック図である。なお、本実施形態に係る液晶表示装置の駆動方法の説明にあたり、図１１と同一構成部分には同一符号を付している。
【０１５３】
図１４において、１はＬＣＤパネルであり、ＬＣＤパネル１はそのゲートラインＧ1〜Ｇn及び各ゲートラインＧ1〜Ｇnに寄生する寄生容量ＣＣ1〜ＣＣnを駆動するゲートドライバ部１３０と、ソースラインＳ1〜Ｓmを駆動するソースドライバ（ＳＤ1〜ＳＤm）部１００とから構成されている。
【０１５４】
ゲートドライバ部１３０は、ゲートラインＧ1〜Ｇn及び各ゲートラインＧ1〜Ｇnに寄生する寄生容量ＣＣ1〜ＣＣnを駆動するゲートドライバＧＤ1〜ＧＤnと、ゲートドライバＧＤ1〜ＧＤnの出力をゲートラインＧ1〜Ｇnから切り離し、隣接するゲートライン同士をショートさせるスイッチＳＷＣ1〜ＳＷＣn及びＳＷＤ1〜ＳＷＤn-1とから構成されている。これらのスイッチは、例えばＦＥＴ等のトランジスタにより容易にドライバ内部に作り込むことが可能である。
【０１５５】
このように、ＬＣＤパネル１と、ソースラインＳ1〜Ｓmを駆動するソースドライバＳＤ1〜ＳＤmからなるソースドライバ部１００と、ゲートドライバＧＤ1〜ＧＤnの出力をスイッチＳＷＣ1〜ＳＷＣn及びＳＷＤ1〜ＳＷＤn-1を介して隣接するゲートドライバ出力と接続したゲートドライバ部１３０から構成し、ゲートドライバ部１３０において、所定のタイミングにてスイッチＳＷＣ1〜ＳＷＣn及びＳＷＤ1〜ＳＷＤn-1をオンあるいはオフさせることにより、消費電流を低減している。
【０１５６】
以下、上述のように構成された液晶表示装置の駆動方法を説明する。
【０１５７】
本液晶表示装置のゲート駆動回路は、前記図１２に示すゲートドライバ駆動波形で駆動される。
【０１５８】
図１４において、ソースドライバＳＤ1〜ＳＤmはソースラインＳ1〜Ｓmを所定のアナログレベルに充電する。この時、同時にゲートドライバＧＤk（ｋ＝１，…，ｎ）によってゲートラインＧkがＬレベルからＨレベルになるように、また、ゲートドライバＧＤk-1によってゲートラインＧk-1がＨレベルからＬレベルになるように駆動される直前にゲートドライバ部１３０の構成要素であるスイッチＳＷＣk及びＳＷＣk-1をオフ状態にし、スイッチＳＷＤk-1をオン状態にすることにより、ゲートラインＧkとＧk-1をショートさせる。
【０１５９】
その後、スイッチＳＷＣk及びＳＷＣk-1をオン状態、スイッチＳＷＤk-1をオフ状態とし、ゲートドライバＧＤkによってゲートラインＧkをＨレベルになるように、また、ゲートドライバＧＤk-1によってゲートラインＧk-1をＬレベルになるように駆動する。
【０１６０】
この動作によってＴＲk1〜ＴＲkmのトランジスタがオン状態、また、ＴＲk-1〜ＴＲk-1mのトランジスタがオフ状態になり、ソースドライバＳＤ1〜ＳＤmの出力レベルがソースラインＳ1〜Ｓmを介してそれぞれ液晶容量ＣＸk1〜ＣＸkmに充電される。これ以降のゲートラインＧk+1〜Ｇnの駆動についても同様な動作をするため説明は省略する。
【０１６１】
以上説明したように、第１０の実施形態に係る液晶表示装置の駆動方法は、ＬＣＤパネル１と、ソースラインＳ1〜Ｓmを駆動するソースドライバＳＤ1〜ＳＤmからなるソースドライバ部１００と、ゲートドライバＧＤ１〜ＧＤnのスイッチの出力をスイッチＳＷＣ1〜ＳＷＣn及びＳＷＤ1〜ＳＷＤn-1を介して隣接するゲートライン同士を接続したゲートドライバ部１３０を備え、ゲートラインの駆動前にゲートドライバＧＤ1〜ＧＤnの出力を、スイッチＳＷＣ1〜ＳＷＣn及びＳＷＤ1〜ＳＷＤn-1により切り離し、隣接するゲートライン同士をショートさせる、すなわちゲートドライバ出力がオンまたはオフする瞬間のトランジェント時にゲートドライバがオン動作しているゲートラインと次にオン動作するゲートドライバに接続されるゲートラインをショートさせるようにしているので、各々のゲートラインに蓄積された電荷のゲート駆動オン電位とゲート駆動オフ電位の中間電位レベル付近までの充放電をショートによる電荷移動によって行うため、ゲートドライバが各々のゲートラインをΗまたはＬレベルに充電する場合よりも消費電流を削減することができる。
【０１６２】
このように本駆動方式では、ゲートラインＧk及びＧk-1を駆動する前にゲートドライバＧＤk及びＧＤk-1を切り離しゲートラインＧkとＧk-1をショートさせることによって、各ゲートラインに蓄積された電荷（特に、寄生容量ＣＣ1〜ＣＣnの電荷）をまず減少させ、電荷減少後にゲートラインＧk及びＧk-1を駆動するようにしているため、ゲートドライバには本来的な駆動能力があればよく消費電流を削減できることが可能になる。
【０１６３】
特に、本実施形態では、前記第８の実施形態のようにＶGD/2や、第９の実施形態のように共通電極の電位Ｖcomレベルをゲートドライバ部に供給しなくてもよいため極めて容易に実施が可能である。
【０１６４】
第１１の実施形態
図１５は本発明の第１１の実施形態に係る液晶表示装置の構成を示すブロック図である。なお、本実施形態に係る液晶表示装置の駆動方法の説明にあたり、図１１と同一構成部分には同一符号を付している。
【０１６５】
図１５において、１はＬＣＤパネルであり、ＬＣＤパネル１はそのゲートラインＧ1〜Ｇn及び各ゲートラインＧ1〜Ｇnに寄生する寄生容量ＣＣ1〜ＣＣnを駆動するゲートドライバ部１４０と、ソースラインＳ1〜Ｓmを駆動するソースドライバ（ＳＤ1〜ＳＤm）部１００とから構成されている。
【０１６６】
ゲートドライバ部１４０は、ゲートラインＧ1〜Ｇn及び各ゲートラインＧ1〜Ｇnに寄生する寄生容量ＣＣ1〜ＣＣnを駆動するゲートドライバＧＤ1〜ＧＤnと、ゲートドライバＧＤ1〜ＧＤnの出力をゲートラインＧ1〜Ｇnから切り離し、抵抗Ｒ１を介してゲートドライバ出力電圧振幅の１／２電位ＶGD/2にショートさせるスイッチＳＷＡ1〜ＳＷＡn及びＳＷＢ1〜ＳＷＢnとから構成されている。これらのスイッチ及び抵抗は、例えばＦＥＴ等のトランジスタにより容易にドライバ内部に作り込むことが可能である。
【０１６７】
このように、ＬＣＤパネル１と、ソースラインＳ1〜Ｓmを駆動するソースドライバＳＤ1〜ＳＤｍからなるソースドライバ部１００と、ゲートドライバＧＤ1〜ＧＤnの出力をスイッチＳＷΑ1〜ＳＷＡn及びＳＷＢ1〜ＳＷＢnと抵抗Ｒ１を介してゲートドライバ出力電圧振幅の１／２電位ＶGD/2と接続したゲートドライバ部１４０から構成し、ゲートドライバ部１４０において、所定のタイミングにてゲートラインＧ1〜ＧnとＶGD/2レベルを抵抗Ｒ１を介してショートさせることにより、消費電流を低減し、さらに放電時のピーク電流を低減しノイズ対策を行う。
【０１６８】
以下、上述のように構成された液晶表示装置の駆動方法を説明する。
【０１６９】
本液晶表示装置のゲート駆動回路は、前記図１２に示すゲートドライバ駆動波形で駆動される。
【０１７０】
図１５において、ソースドライバＳＤ1〜ＳＤmはソースラインＳ1〜Ｓmを所定のアナログレベルに充電する。この時、同時にゲートドライバＧＤk（ｋ＝１，…，ｎ）によってゲートラインＧkがＬレベルからΗレべルになるように、また、ゲートドライバＧＤk-1によってゲートラインＧk-1がＨレベルからＬレベルになるように駆動される直前にゲートドライバ部１４０の構成要素であるスイッチＳＷＡk及びＳＷＡk-1をオフ状態にし、スイッチＳＷＢk及びＳＷＢk-1をオン状態にすることにより、ゲートラインＧk及びＧk-1を抵抗Ｒ１を介してゲートドライバ出力電圧振幅の１／２電位ＶGD/2にショートさせる。
【０１７１】
その後、スイッチＳＷＡk及びＳＷＡk-1をオン状態、スイッチＳＷＢk及びＳＷＢk-1をオフ状態とし、ゲートドライバＧＤkによってゲートラインＧkをＨレベルになるように、また、ゲートドライバＧＤk-1によってゲートラインＧk-1をＬレベルになるように駆動する。この動作によってＴＲk1〜ＴＲkmのトランジスタがオン状態、また、ＴＲk-11〜ＴＲk-1mのトランジスタがオフ状態になり、ソースドライバＳＤ1〜ＳＤmの出力レベルがソースラインＳ1〜Ｓmを介してそれぞれ液晶容量ＣΧk1〜ＣＸkmに充電される。これ以降のゲートラインＧk+1〜Ｇnの駆動についても同様な動作をするため説明は省略する。
【０１７２】
以上説明したように、第１１の実施形態に係る液晶表示装置の駆動回路及びその駆動方法では、ゲートラインの駆動前にゲートドライバＧＤ1〜ＧＤnの出力を、スイッチＳＷＡ1〜ＳＷΑn及びＳＷＢ1〜ＳＷＢnにより切り離し、抵抗Ｒ１を介してゲートドライバ出力電圧振幅の１／２電位ＶGD/2にショートさせるようにしているので、各々のゲートラインに蓄積された電荷のＶGD/2レベル付近までの充放電をショートによる電荷移動によって行うため、ゲートドライバが各々のゲートラインをＨまたはＬレベルに充電する場合よりも消費電流を削減することができ、さらにピーク電流を低減しノイズ対策を行うことができる。
【０１７３】
すなわち、各ゲートラインＧ1〜Ｇnを共通電極の電位レベルＶcomとショートさせる時、電荷の移動が早すぎると、ソースラインとゲートラインの交差部分等でのライン間の寄生容量によりゲートラインのレベルが影響され誤動作の原因となる。この現象はゲートドライバから遠いスイッチトランジスタに発生しやすい。この現状を回避するため、本実施形態では電荷移動を抵抗Ｒ１を介して行うことにより電荷の移動を制御しピーク電流を抑えている。したがって、第８の実施形態の効果に加えて、ピーク電流を低減しノイズによる誤動作を防ぐことが可能になる。
【０１７４】
第１２の実施形態
図１６は本発明の第１２の実施形態に係る液晶表示装置の構成を示すブロック図である。なお、本実施形態に係る液晶表示装置の駆動方法の説明にあたり、図１３と同一構成部分には同一符号を付している。
【０１７５】
図１６において、１はＬＣＤパネルであり、ＬＣＤパネル１はそのゲートラインＧ1〜Ｇn及び各ゲートラインＧ1〜Ｇnに寄生する寄生容量ＣＣ1〜ＣＣnを駆動するゲートドライバ部１５０と、ソースラインＳ1〜Ｓmを駆動するソースドライバ（ＳＤ1〜ＳＤm）部１００とから構成されている。
【０１７６】
ゲートドライバ部１５０は、ゲートラインＧ1〜Ｇn及び各ゲートラインＧ1〜Ｇnに寄生する寄生容量ＣＣ1〜ＣＣnを駆動するゲートドライバＧＤ1〜ＧＤnと、ゲートドライバＧＤ1〜ＧＤnの出力をゲートラインＧ1〜Ｇnから切り離し、抵抗Ｒ１を介して共通電極の電位ＶcomにショートさせるスイッチＳＷΑ1〜ＳＷΑn及びＳＷＢ1〜ＳＷＢnとから構成されている。これらのスイッチ及び抵抗は、例えばＦＥＴ等のトランジスタにより容易にドライバ内部に作り込むことが可能である。
【０１７７】
このように、ＬＣＤパネル１と、ソースラインＳ1〜Ｓmを駆動するソースドライバＳＤ1〜ＳＤmからなるソースドライバ部１００と、ゲートドライバＧＤ1〜ＧＤnの出力をスイッチＳＷΑ1〜ＳＷΑn及びＳＷＢ1〜ＳＷＢnと抵抗Ｒ１を介して共通電極の電位Ｖcomと接続したゲートドライバ部１５０から構成し、ゲートドライバ部１５０において、所定のタイミングにてゲートラインＧ1〜ＧnとＶcomレベルを抵抗Ｒ１を介してショートさせることにより、消費電流を低減し、さらに放電時のピーク電流を低減しノイズ対策を行う。
【０１７８】
以下、上述のように構成された液晶表示装置の駆動方法を説明する。
【０１７９】
本液晶表示装置のゲート駆動回路は、前記図１２に示すゲートドライバ駆動波形で駆動される。
【０１８０】
図１６において、ソースドライバＳＤ1〜ＳＤmはソースラインＳ1〜Ｓmを所定のアナログレベルに充電する。この時、同時にゲートドライバＧＤk（ｋ＝１，…，ｎ）によってゲートラインＧkがＬレベルからＨレベルになるように、また、ゲートドライバＧＤk-1によってゲートラインＧkがＨレベルからＬレベルになるように駆動される直前にゲートドライバ部１５０の構成要素であるスイッチＳＷＡk及びＳＷＡk-1をオフ状態にし、スイッチＳＷＢk及びＳＷＢk-1をオン状態にすることにより、ゲートラインＧk及びＧk-1を抵抗Ｒ１を介して共通電極の電位Ｖcomにショートさせる。
【０１８１】
その後、スイッチＳＷＡk及びＳＷＡk-1をオン状態、スイッチＳＷＢk及びＳＷＢk-1をオフ状態とし、ゲートドライバＧＤkによってゲートラインＧkをＨレベルになるように、また、ゲートドライバＧＤk-1によってゲートラインＧk-1をＬレベルになるように駆動する。
【０１８２】
この動作によってＴＲk1〜ＴＲkmのトランジスタがオン状態、またＴＲk-1〜ＴＲk-1mのトランジスタがオフ状態になり、ソースドライバＳＤ1〜ＳＤmの出力レベルがソースラインＳ1〜Ｓmを介してそれぞれ液晶容量ＣΧk1〜ＣＸkmに充電される。これ以降のゲートラインＧk+1〜Ｇnの駆動についても同様な動作をするため説明は省略する。
【０１８３】
以上説明したように、第１２の実施形態に係る液晶表示装置の駆動回路及びその駆動方法は、ゲートラインの駆動前にゲートドライバＧＤ1〜ＧＤnの出力を、スイッチＳＷＡ1〜ＳＷΑn及びＳＷＢ1〜ＳＷＢnにより切り離し、抵抗Ｒ１を介して共通電極の電位Ｖcomにショートさせるようにしているので、各々のゲートラインに蓄積された電荷のＶcomレベル付近までの充放電をショートによる電荷移動によって行うため、ゲートドライバが各々のゲートラインをＨまたはＬレベルに充電する場合よりも消費電流を削減することができ、さらに上述した第１１の実施形態の場合と同様な理由によりピーク電流を低減させることができノイズ対策を行うことができる。
【０１８４】
したがって、第９の実施形態の効果に加えて、さらにピーク電流を低減しノイズによる誤動作を防ぐことが可能になる。
【０１８５】
第１３の実施形態
図１７は本発明の第１３の実施形態に係る液晶表示装置の構成を示すブロック図である。なお、本実施形態に係る液晶表示装置の駆動方法の説明にあたり、図１４と同一構成部分には同一符号を付している。
【０１８６】
図１７において、１はＬＣＤパネルであり、ＬＣＤパネル１はそのゲートラインＧ1〜Ｇn及び各ゲートラインＧ1〜Ｇnに寄生する寄生容量ＣＣ1〜ＣＣnを駆動するゲートドライバ部１６０と、ソースラインＳ1〜Ｓmを駆動するソースドライバ（ＳＤ1〜ＳＤm）部１００とから構成されている。
【０１８７】
ゲートドライバ部１６０は、ゲートラインＧ1〜Ｇn及び各ゲートラインＧ1〜Ｇnに寄生する寄生容量ＣＣ1〜ＣＣnを駆動するゲートドライバＧＤ1〜ＧＤnと、ゲートドライバＧＤ1〜ＧＤnの出力をゲートラインＧ1〜Ｇnから切り離し、抵抗Ｒ２を介して隣接するゲートライン同士をショートさせるスイッチＳＷＣ1〜ＳＷＣn及びＳＷＤ1〜ＳＷＤn-1とから構成されている。これらのスイッチ及び抵抗は、例えばＦＥＴ等のトランジスタにより容易にドライバ内部に作り込むことが可能である。
【０１８８】
このように、ＬＣＤパネル１と、ソースラインＳ1〜Ｓmを駆動するソースドライバＳＤ1〜ＳＤmからなるソースドライバ部１００と、ゲートドライバＧＤ1〜ＧＤnの出力をスイッチＳＷＣ1〜ＳＷＣn及びＳＷＤ1〜ＳＷＤn-1と抵抗Ｒ２を介して隣接するゲートライン同士を接続したゲートドライバ部１６０から構成し、ゲートドライバ部１６０において、所定のタイミングにて隣接するゲートライン同士を抵抗Ｒ２を介してショートさせることにより、消費電流を低減し、さらに放電時のピーク電流を低減しノイズ対策を行う。
【０１８９】
以下、上述のように構成された液晶表示装置の駆動方法を説明する。
【０１９０】
本液晶表示装置のゲート駆動回路は、前記図１２に示すゲートドライバ駆動波形で駆動される。
【０１９１】
図１７において、ソースドライバＳＤ1〜ＳＤmはソースラインＳ1〜Ｓmを所定のアナログレベルに充電する。この時、同時にゲートドライバＧＤk（ｋ＝１，…，ｎ）によってゲートラインＧkがＬレベルからＨレベルになるように、また、ゲートドライバＧＤk-1によってゲートラインＧk-1がΗレベルからＬレベルになるように駆動される直前にゲートドライバ部１６０の構成要素であるスイッチＳＷＣk及びＳＷＣk-1をオフ状態にし、スイッチＳＷＤk-1をオン状態にすることにより、ゲートラインＧkとＧk-1を抵抗Ｒ２を介してショートさせる。
【０１９２】
その後、スイッチＳＷＣk及びＳＷＣk-1をオン状態、スイッチＳＷＤkをオフ状態とし、ゲートドライバＧＤkによってゲートラインＧkをＨレベルになるように、また、ゲートドライバＧＤk-1によってゲートラインＧk-1をＬレベルになるように駆動する。
【０１９３】
この動作によってＴＲk1〜ＴＲkmのトランジスタがオン状態、また、ＴＲk-11〜ＴＲk-1mのトランジスタがオフ状態になり、ソースドライバＳＤ1〜ＳＤmの出力レベルがソースラインＳ1〜Ｓmを介してそれぞれ液晶容量ＣＸk1〜ＣＸkmに充電される。これ以降のゲートラインＧk+1〜Ｇnの駆動についても同様な動作をするため説明は省略する。
【０１９４】
以上説明したように、第１３の実施形態に係る液晶表示装置の駆動回路及びその駆動方法は、ＬＣＤパネル１と、ソースラインＳ1〜Ｓmを駆動するソースドライバＳＤ1〜ＳＤmからなるソースドライバ部１００と、ゲートドライバＧＤ1〜ＧＤnの出力をスイッチＳＷＣ1〜ＳＷＣn及びＳＷＤ1〜ＳＷＤn-1と抵抗Ｒ２を介して隣接するゲートライン同士を接続したゲートドライバ部１６０を備え、ゲートラインの駆動前にゲートドライバＧＤ1〜ＧＤnの出力を、スイッチＳＷＣ1〜ＳＷＣn及びＳＷＤ1〜ＳＷＤn-1により切り離し、抵抗Ｒ２を介して隣接するゲートライン同士をショートさせるようにしているので、各々のゲートラインに蓄積された電荷のゲート駆動オン電位とゲート駆動オフ電位の中間電位レベル付近までの充放電をショートによる電荷移動によって行うため、ゲートドライバが各々のゲートラインをＨまたはＬレベルに充電する場合よりも消費電流を削減することができ、ピーク電流を低減しノイズ対策を行うことができる。
【０１９５】
したがって、第１０の実施形態の効果に加えて、さらにピーク電流を低減しノイズによる誤動作を防ぐことが可能になる。
【０１９６】
このような優れた特長を有する液晶表示装置の駆動回路及びその駆動方法を、各種液晶表示パネルのドライバ等に適用すれば、この液晶表示装置を用いた液晶表示装置においてより低消費電流で高品位な表示を行うことができる。
【０１９７】
なお、上記各実施形態に係る液晶表示装置の駆動回路及びその駆動方法を、例えば液晶テレビに適用することができるが、これに限定されるものではなく、マトリックス状に配置した液晶表示部を駆動する装置であれば他の装置、例えば液晶プロジェクタ等の液晶表示装置に用いてもよいことは勿論である。
【０１９８】
また、上記各実施形態では、駆動の一例として図２、図３、図９、図１０、図１２の波形を示したが、駆動波形はどのような波形及び駆動方式であってもよいことは言うまでもない。
【０１９９】
さらに、上記液晶表示装置を構成するスイッチング素子、抵抗、ドライバ回路等の種類、数などは前述した各実施形態に限られないことは言うまでもない。例えば、アクティブマトリックスパネルとしてＴＦＴ型液晶パネルを用いているが、薄膜ダイオード（thin film diode）に適用してもよい。また、スイッチング素子としてＴＦＴ素子を用いているが、ＭＩＭ、ダイオード等の非線形素子にも適用できる。
【図面の簡単な説明】
【０２００】
【図１】本発明を適用した第１の実施形態に係る液晶表示装置の駆動回路及びその駆動方法の構成を示すブロック図である。
【図２】上記液晶表示装置の駆動回路及びその駆動方法のゲートドライバ部の駆動波形を示す波形図である。
【図３】上記液晶表示装置の駆動回路及びその駆動方法のソースドライバ部のソースドライバＳＤ1〜ＳＤmの駆動波形を示す波形図である。
【図４】本発明を適用した第２の実施形態に係る液晶表示装置の駆動回路及びその駆動方法の構成を示すブロック図である。
【図５】本発明を適用した第３の実施形態に係る液晶表示装置の駆動回路及びその駆動方法の構成を示すブロック図である。
【図６】本発明を適用した第４の実施形態に係る液晶表示装置の駆動回路及びその駆動方法の構成を示すブロック図である。
【図７】本発明を適用した第５の実施形態に係る液晶表示装置の駆動回路及びその駆動方法の構成を示すブロック図である。
【図８】本発明を適用した第６の実施形態に係る液晶表示装置の駆動回路及びその駆動方法の構成を示すブロック図である。
【図９】本発明を適用した第７の実施形態に係る液晶表示装置の駆動回路及びその駆動方法のゲートドライバ部の駆動波形を示す波形図である。
【図１０】上記液晶表示装置の駆動回路及びその駆動方法のソースドライバ部のソースドライバＳＤ1〜ＳＤmの駆動波形を示す波形図である。
【図１１】本発明を適用した第８の実施形態に係る液晶表示装置の駆動回路及びその駆動方法の構成を示すブロック図である。
【図１２】上記液晶表示装置の駆動回路及びその駆動方法のゲートドライバ部の駆動波形を示す波形図である。
【図１３】本発明を適用した第９の実施形態に係る液晶表示装置の駆動回路及びその駆動方法の構成を示すブロック図である。
【図１４】本発明を適用した第１０の実施形態に係る液晶表示装置の駆動回路及びその駆動方法の構成を示すブロック図である。
【図１５】本発明を適用した第１１の実施形態に係る液晶表示装置の駆動回路及びその駆動方法の構成を示すブロック図である。
【図１６】本発明を適用した第１２の実施形態に係る液晶表示装置の駆動回路及びその駆動方法の構成を示すブロック図である。
【図１７】本発明を適用した第１３の実施形態に係る液晶表示装置の駆動回路及びその駆動方法の構成を示すブロック図である。
【図１８】従来の液晶表示装置の構成を示すブロック図である。
【図１９】従来の液晶表示装置の構成を示すブロック図である。
【図２０】従来の液晶表示装置のゲートドライバ部の駆動波形を示す波形図である。
【図２１】従来の液晶表示装置のソースドライバ部のソースドライバＳＤ1〜ＳＤmの駆動波形を示す波形図である。
【符号の説明】
【０２０１】
１  ＬＣＤパネル、  １０，１１０，１２０，１３０，１４０，１５０，１６０  ゲートドライバ部、  ２０，３０，４０，５０，６０，７０，１００  ソースドライバ部、  Ｇ1〜Ｇn  ゲートライン、  Ｓ1〜Ｓm  ソースライン、  ＣＣ1〜ＣＣm，ＣＣ1〜ＣＣn  寄生容量、  ＳＤ1〜ＳＤm  ソースドライバ、  ＳＷＡ1〜ＳＷＡm，ＳＷＢ1〜ＳＷＢm，ＳＷＣ1〜ＳＷＣm，ＳＷＤ1〜ＳＷＤm，ＳＷＡ1〜ＳＷＡn，ＳＷＢ1〜ＳＷＢn，ＳＷＣ1〜ＳＷＣn，ＳＷＤ1〜ＳＷＤn  スイッチ、  Ｖcom  共通電極の電位、  ＶSD/2  ソースドライバ出力の１／２電位、  ＶGD/2  ゲートドライバ出力の１／２電位、  Ｒ１，Ｒ２  抵抗
【図１】
2005222072.tif 000003
【図２】
2005222072.tif 000004
【図３】
2005222072.tif 000005
【図４】
2005222072.tif 000006
【図５】
2005222072.tif 000007
【図６】
2005222072.tif 000008
【図７】
2005222072.tif 000009
【図８】
2005222072.tif 000010
【図９】
2005222072.tif 000011
【図１０】
2005222072.tif 000012
【図１１】
2005222072.tif 000013
【図１２】
2005222072.tif 000014
【図１３】
2005222072.tif 000015
【図１４】
2005222072.tif 000016
【図１５】
2005222072.tif 000017
【図１６】
2005222072.tif 000018
【図１７】
2005222072.tif 000019
【図１８】
2005222072.tif 000020
【図１９】
2005222072.tif 000021
【図２０】
2005222072.tif 000022
【図２１】
2005222072.tif 000023